(57)【要約】【課題】開閉操作を簡単に行うのに適した、グローブボックスにおけるハッチ扉の開閉構造を提供する。【解決手段】本体ボックスと、これに通じる予備ボックス３と、を備えたグローブボックスにおけるハッチ扉３３の開閉構造であって、予備ボックス３に回動可能に支持された扉本体４１と、扉本体４１の厚さ方向に貫通し且つ回転可能に支持された回転操作体４２と、回転操作体４２に支持されたロック板４３と、を備え、回転操作体４２は、操作ハンドル４２８とネジ軸４２４と、を含み、ロック板４３は、ネジ軸４２４が螺合するネジ孔４３１をもつ円板部４３０と、円板部４３０外周から延びる延出部４３５と、を含み、予備ボックス３には、扉本体４１が閉じ、且つロック板４３が所定の回転位置にあるときに、延出部４３５と係合し得る係合溝３７が設けられ、ロック板４３が扉本体４１に対して所定の回転角度の回転を許容する回転許容機構を備える。【選択図】図６
2018024030.tif 000002
【特許請求の範囲】
【請求項１】
作業空間を外部と気密状に区画する本体ボックスと、内側開口部が当該本体ボックスに連通し、且つ外側開口部が外部に開放可能な筒状の予備ボックスと、を備えたグローブボックスにおいて、上記内側開口部および上記外側開口部の少なくともいずれかを開閉するためのハッチ扉の開閉構造であって、
上記予備ボックスに回動可能に支持され、上記内側開口部および上記外側開口部の少なくともいずれかを開閉する扉本体と、
上記扉本体に対して、当該扉本体の厚さ方向に貫通するとともに当該厚さ方向に沿って延びる軸線回りに相対回転可能に支持された回転操作体と、
上記回転操作体に支持されたロック板と、を備え、
上記回転操作体は、軸線方向一端側に設けられた操作ハンドルと、軸線方向他端側に設けられたネジ軸と、を含み、
上記扉本体の内側面、および、当該内側面と対向し得る、上記予備ボックスの軸方向における端面、のうち一方には、環状シール部材が設けられており、
上記ロック板は、上記ネジ軸が螺合するネジ孔が径方向中央に形成された円板部と、当該円板部の外周部から径方向外方に延びる延出部と、を含み、
上記予備ボックスには、上記扉本体が閉じ、且つ上記ロック板が所定の回転位置にあるときに、上記延出部と係合し得る係合溝が設けられており、
上記ロック板が上記扉本体に対して所定の回転角度だけ回転を許容する回転許容機構をさらに備える、ハッチ扉の開閉構造。
【請求項２】
上記係合溝は、上記予備ボックスの軸方向における端面から当該軸方向に延びる第１溝部と、当該第１溝部につながり、上記予備ボックスの軸方向回りの周方向に沿って延びる第２溝部と、を含む、請求項１に記載のハッチ扉の開閉構造。
【請求項３】
上記回転許容機構は、上記扉本体に固定されたピンと、上記円板部の厚さ方向視において当該円板部の軸線を中心とする円弧状に形成され、上記ピンが挿入されるガイド孔と、を含む、請求項１または２に記載のハッチ扉の開閉構造。
【請求項４】
作業空間を外部と気密状に区画する本体ボックスと、内側開口部が当該本体ボックスに連通し、且つ外側開口部が外部に開放可能な筒状の予備ボックスと、請求項１ないし３のいずれかに記載のハッチ扉の開閉構造と、を備える、グローブボックス。
【発明の詳細な説明】
【技術分野】
【０００１】
本発明は、グローブボックスにおけるハッチ扉の開閉構造、およびこれを備えたグローブボックスに関する。
【背景技術】
【０００２】
グローブボックスは、大気中では不安定な固体、粉体、放射性物質、きわめて毒性の強い物質、あるいは空気中の酸素と反応して爆発する物質などを乾燥雰囲気あるいは不活性雰囲気中で取り扱う作業に用いられる。グローブボックスにおいて、作業空間をその外部と気密状に区画する本体ボックス内の空気をドライエアーあるいは窒素、アルゴン、ヘリウムなどの不活性ガスで置換して乾燥雰囲気あるいは不活性雰囲気を本体ボックス内に形成するようにしている。本体ボックスの前面、あるいは前後両面には作業者が手を本体ボックス内に入れて作業を行うための作業用開口が形成され、この作業用開口を密封するように手袋が取り付けられる。
【０００３】
グローブボックスは、一般に、本体ボックスに対して処理物や容器等の対象物の出し入れを行うための予備ボックスを備えている（例えば、特許文献１を参照）。予備ボックスは、筒状とされており、その一端である内側開口部が本体ボックスに連通し、且つ他端である外側開口部が大気中（外部）に開放可能である。上記内側開口部および外側開口部は、内側ハッチおよび外側ハッチ（ハッチ扉）によって開閉可能とされている。
【０００４】
これらハッチ扉としては、例えば、スライドレールに沿って直線往復動させられるスライド扉を具備する構成や、予備ボックスに対して回動可能に支持される回動扉を具備する構成が採用される。ハッチ扉においては、内側開口部や外側開口部を開閉可能であるとともに当該開口部を閉じる時に密閉するためシール機構を具備し、また扉が不用意に開くのを防止するためのロック機構が必要に応じて装備される。外側ハッチの開閉操作については、作業者がグローブボックスの外部から行う。また、内側ハッチの開閉操作については、作業者が手袋を装着したうえで作業用開口を通じて本体ボックス内に手を延ばして行う。
【０００５】
予備ボックスに対して比較的小さい対象物の出し入れを行う場合、予備ボックスのサイズの小型化が望まれる。そして、予備ボックスが小型化しても、ハッチ扉の開閉操作を簡単に行うことが望まれる
【先行技術文献】
【特許文献】
【０００６】
【特許文献１】特開平８−２２９８８０号公報
【発明の概要】
【発明が解決しようとする課題】
【０００７】
本発明は、このような事情のもとで考え出されたものであって、グローブボックスにおける予備ボックスの開口部を開閉するハッチ扉において、開閉操作を簡単に行うのに適したハッチ扉の開閉構造を提供することを主たる課題とする。
【課題を解決するための手段】
【０００８】
上記の課題を解決するため、本発明では、次の技術的手段を採用した。
【０００９】
本発明の第１の側面によって提供されるハッチ扉の開閉構造は、作業空間を外部と気密状に区画する本体ボックスと、内側開口部が当該本体ボックスに連通し、且つ外側開口部が外部に開放可能な筒状の予備ボックスと、を備えたグローブボックスにおいて、上記内側開口部および上記外側開口部の少なくともいずれかを開閉するためのハッチ扉の開閉構造であって、上記予備ボックスに回動可能に支持され、上記内側開口部および上記外側開口部の少なくともいずれかを開閉する扉本体と、上記扉本体に対して、当該扉本体の厚さ方向に貫通するとともに当該厚さ方向に沿って延びる軸線回りに相対回転可能に支持された回転操作体と、上記回転操作体に支持されたロック板と、を備え、上記回転操作体は、軸線方向一端側に設けられた操作ハンドルと、軸線方向他端側に設けられたネジ軸と、を含み、上記扉本体の内側面、および、当該内側面と対向し得る、上記予備ボックスの軸方向における端面、のうち一方には、環状シール部材が設けられており、上記ロック板は、上記ネジ軸が螺合するネジ孔が径方向中央に形成された円板部と、当該円板部の外周部から径方向外方に延びる延出部と、を含み、上記予備ボックスには、上記扉本体が閉じ、且つ上記ロック板が所定の回転位置にあるときに、上記延出部と係合し得る係合溝が設けられており、上記ロック板が上記扉本体に対して所定の回転角度だけ回転を許容する回転許容機構をさらに備えることを特徴としている。
【００１０】
好ましい実施の形態においては、上記係合溝は、上記予備ボックスの軸方向における端面から当該軸方向に延びる第１溝部と、当該第１溝部につながり、上記予備ボックスの軸方向回りの周方向に沿って延びる第２溝部と、を含む。
【００１１】
好ましい実施の形態においては、上記回転許容機構は、上記扉本体に固定されたピンと、上記円板部の厚さ方向視において当該円板部の軸線を中心とする円弧状に形成され、上記ピンが挿入されるガイド孔と、を含む。
【００１２】
本発明の第２の側面によって提供されるグローブボックスは、作業空間を外部と気密状に区画する本体ボックスと、内側開口部が当該本体ボックスに連通し、且つ外側開口部が外部に開放可能な筒状の予備ボックスと、本発明の第１の側面によって提供されるハッチ扉の開閉構造と、を備えることを特徴としている。
【００１３】
本発明のその他の特徴および利点は、添付図面を参照して以下に行う詳細な説明によって、より明らかとなろう。
【図面の簡単な説明】
【００１４】
【図１】本発明に係るハッチ扉の開閉構造を具備するグローブボックスの一例を示す正面図である。
【図２】本発明に係るハッチ扉の開閉構造の一例を表し、ハッチ扉が閉じた状態を示す要部縦断面図である。
【図３】図２に示したハッチ扉の開閉構造を表し、ハッチ扉が開いた状態を示す斜視図である。
【図４】図２のＩＶ−ＩＶ線に沿う要部断面図である。
【図５】図２のＶ−Ｖ線に沿う要部断面図である。
【図６】図５のＶＩ−ＶＩ線に沿う要部断面図である。
【発明を実施するための形態】
【００１５】
以下、本発明の好ましい実施の形態を図面を参照しつつ具体的に説明する。
【００１６】
図１は、本発明に係るハッチ扉の開閉構造を具備するグローブボックスの一例を示している。同図に示したグローブボックスＡ１は、本体ボックス１、サイドボックス２、および小サイドボックス３を備える。本体ボックス１は、作業空間を外部から気密状に区画するものである。サイドボックス２および小サイドボックス３は、本体ボックス１に対して、処理物や容器等の対象物の出し入れを行うためのものである。
【００１７】
サイドボックス２は、例えば矩形筒状をなしており、その一端である内側開口部２０が本体ボックス１に連通し、且つ他端である外側開口部２１が外部に開放可能である。内側開口部２０は内側ハッチ扉２２によって開閉可能とされており、外側開口部２１は外側ハッチ扉２３によって開閉可能とされている。
【００１８】
小サイドボックス３は、図１に示した正面図においてサイドボックス２よりも紙面手前側に位置する。小サイドボックス３は、例えば概略円筒状をなしており、軸方向に延びる直管部およびその両端につながるフランジ部を含んで構成される。小サイドボックス３は、そのサイズが比較的小さくされており、例えば、直管部の内径寸法が９０ｍｍ程度、軸方向の全長寸法が３００ｍｍ程度である。小サイドボックス３は、その一端である内側開口部３０が本体ボックス１に連通し、且つ他端である外側開口部３１が外部に開放可能である。内側開口部３０は内側ハッチ扉３２によって開閉可能とされており、外側開口部３１は外側ハッチ扉３３によって開閉可能とされている。
【００１９】
小サイドボックス３において内側開口部３０を開閉する内側ハッチ扉３２、および外側開口部３１を開閉する外側ハッチ扉３３は、それぞれ本発明でいうハッチ扉の開閉構造を適用した構成の一例であるが、詳細は後述する。
【００２０】
本体ボックス１の前面の上部は斜め上向きに傾斜させた窓ガラス１０で覆われ、下部には作業者の手を本体ボックス１内に入れるための１対の作業用開口１１が形成されている。各作業用開口１１は、手袋取付用の筒状体１２を介して手袋（図示略）で気密状に覆われ、さらに、取り外し可能な蓋１３で閉じられる。
【００２１】
本体ボックス１の下部には本体ボックス１の内部を真空ポンプの吸込口に連通させる真空パイプ１４１が接続されており、本体ボックス１の上部には、本体ボックス１内にドライエアー、不活性ガスなどの雰囲気ガスを供給するためのガス供給パイプ１４２が接続されている。
【００２２】
さらに、本体ボックス１の上部および下部にはガス置換用のパイプ１５１が接続されており、このパイプ１５１に分岐管１５２を介して酸素計を分岐接続して本体ボックス１内の雰囲気を確認できるようにしている。サイドボックス２には、上記ガス供給パイプ１４２と真空ポンプとに切替え接続されるとともにサイドボックス２の内部空間に連通させた給排気回路１５３が接続され、また、当該内部空間の雰囲気を確認するための酸素計も設けられる。小サイドボックス３においても、上記ガス供給パイプ１４２と真空ポンプとに切替え接続されるとともに小サイドボックス３の内部空間に連通させた給排気回路（図示略）が接続され、また、当該内部空間の圧力を測定するための圧力計（図示略）も設けられる。なお、本体ボックス１は、支柱１７を介してキャスタ１８１付きの載置台１８に支持されている。
【００２３】
次に、小サイドボックス３における外側ハッチ扉３３の取付け構造について説明する。なお、小サイドボックス３における内側ハッチ扉３２の取付け構造については、外側ハッチ扉３３の取付け構造と実質的に同一であるので、その説明を省略する。
【００２４】
図２、図３は、小サイドボックス３における外側ハッチ扉３３の取付け構造を示す図である。図２は、外側ハッチ扉３３が閉じた状態を示す縦断面図である。なお、図２において外側ハッチ扉３３が開いた状態を仮想線で表す。図３は、外側ハッチ扉３３が開いた状態を示す斜視図である。
【００２５】
外側ハッチ扉３３は、扉本体４１、回転操作体４２、およびロック板４３を備えている。
【００２６】
扉本体４１は、概略円板状とされており、小サイドボックス３に回動可能に支持されている。より具体的には、扉本体４１は、小サイドボックス３の下部において、当該小サイドボックス３の軸方向に対して直角である水平軸Ｏ１回りに回動可能に支持されており、開閉動作可能である。扉本体４１の径方向中央には、厚さ方向（軸方向）に貫通する貫通孔４１１が形成されている。この貫通孔４１１には、後述する回転操作体４２が嵌挿される。
【００２７】
扉本体４１が閉じた状態において、当該扉本体４１の内側面４１２は、小サイドボックス３の軸方向における端面３５と対向する。扉本体４１の内側面４１２には環状溝４１３が形成されている。環状溝４１３は、扉本体４１における径方向外周部寄りに形成されており、この環状溝４１３に環状シール部材４４が装着されている。本実施形態において、環状溝４１３はアリ溝形状であり、環状シール部材４４はＯリングにより構成される。なお、図２において仮想線で示すように、扉本体４１が開いた状態では、環状シール部材４４は、殆ど圧縮されずにほぼ自然状態となっており、扉本体４１の内側面４１２から少し突出する。
【００２８】
扉本体４１における小サイドボックス３を向く面（内側面４１２）の適所には、ネジ穴４１４が形成されている。ネジ穴４１４には、ピン４１５が埋め込み固定されている。
【００２９】
回転操作体４２は、軸本体４２０および操作ハンドル４２８を有する。軸本体４２０は、軸線方向に沿って延びており、概略円柱状とされている。軸本体４２０は、ハンドル支持軸４２１、フランジ４２２、嵌挿軸部４２３、およびネジ軸４２４を有する。ハンドル支持軸４２１は、軸本体４２０における軸線方向一端（図２における図中右端）に設けられている。フランジ４２２は、ハンドル支持軸４２１につながっている。
【００３０】
嵌挿軸部４２３は、フランジ４２２につながっており、扉本体４１の貫通孔４１１に嵌挿される部分である。嵌挿軸部４２３の外径寸法は、貫通孔４１１の内径寸法よりも僅かに小さくされている。  嵌挿軸部４２３にはスラスト軸受４５が外嵌されており、当該スラスト軸受４５は、回転操作体４２の軸線方向においてフランジ４２２と扉本体４１との間に介装される。また、軸本体４２０には、軸線方向において嵌挿軸部４２３を挟んでフランジ４２２とは反対側に、Ｃリング４２５が取付けられている。かかる構成により、軸本体４２０（回転操作体４２）は、扉本体４１に対して、軸線回りに相対回転可能に支持されるとともに軸線方向への相対移動が阻止される。なお、本実施形態においては、嵌挿軸部４２３と扉本体４１との間にはＯリング４２６が介装されており、これら嵌挿軸部４２３および扉本体４１の間が封止されている。
【００３１】
ネジ軸４２４は、後述するロック板４３のネジ孔４３１に螺合させられる雄ネジ部である。ネジ軸４２４は、軸本体４２０（回転操作体４２）の軸線方向他端側（図２における図中左端側）に設けられている。
【００３２】
本実施形態において、軸本体４２０の軸線方向他端には、抜け止めプレート４６が取り付けられている。抜け止めプレート４６は、ロック板４３が脱落するのを防止するためのものであり、取付ネジ４７を用いて軸本体４２０に固定される。
【００３３】
操作ハンドル４２８は、軸本体４２０のハンドル支持軸４２１に外嵌されており、ビス止め等の適宜手段（図示略）により軸本体４２０に固定されている。
【００３４】
ロック板４３は、円板部４３０および延出部４３５を有する。円板部４３０は、概略円板状とされており、径方向中央には厚さ方向に貫通するネジ孔４３１（雌ネジ）が形成されている。このネジ孔４３１に上記した回転操作体４２のネジ軸４２４が螺合している。
【００３５】
円板部４３０の適所には、ガイド孔４３２が形成されている。ガイド孔４３２は、円板部４３０の厚さ方向に貫通しており、図４、図５に示すように、円板部４３０の厚さ方向視において当該円板部４３０の軸線を中心とする円弧状とされている。ガイド孔４３２には、扉本体４１に設けられたピン４１５が挿入されている。このような構成によって、図２〜図５等からも理解されるように、円板部４３０（ロック板４３）は、扉本体４１に対して、所定の角度範囲（ガイド孔４３２がなす円弧の中心角に対応する角度範囲）で相対回転が許容される。本実施形態では、ロック板４３は、扉本体４１に対して約４５°回転可能である。ここで、扉本体４１に設けられたピン４１５および円板部４３０に形成されたガイド孔４３２は、本発明で言う回転許容機構を構成する。
【００３６】
図３〜図５に示すように、延出部４３５は、円板部４３０の外周部から径方向外方に延びる部分である。本実施形態において、延出部４３５は、円板部４３０の周方向において等間隔を隔てた２箇所に設けられている。詳細は後述するが、これら延出部４３５は、後述する、小サイドボックス３に設けられた係合溝３７に係合する部分である。
【００３７】
図３〜図５に示すように、本実施形態において、小サイドボックス３の端部（上記フランジ部）の内面には、係合溝３７が形成されている。係合溝３７は、第１溝部３７１および第２溝部３７２を含む。第１溝部３７１は、小サイドボックス３の軸方向における端面３５から当該軸方向に沿って延びている。第２溝部３７２は、第１溝部３７１につながり、小サイドボックス３の軸方向回りの周方向に沿って延びている。
【００３８】
第１溝部３７１は、小サイドボックス３の周方向において等間隔を隔てた２箇所に設けられている。扉本体４１の開閉動作時においては、ロック板４３に設けられた延出部４３５が第１溝部３７１を通過可能である。第２溝部３７２は、第１溝部３７１に対応して２箇所に設けられている。図５に示すように、各第２溝部３７２は、第１溝部３７１から小サイドボックス３の周方向における同一方向（同図においては時計回り）に延びている。ロック板４３が扉本体４１に対して回転させられると、延出部４３５が第２溝部３７２に進入可能である。
【００３９】
次に、ハッチ扉（外側ハッチ扉３３および内側ハッチ扉３２）の開閉操作手順および作用について説明する。なお、外側ハッチ扉３３の操作手順および内側ハッチ扉３２の操作手順は実質的に同じであるので、以下においては主に外側ハッチ扉３３の操作手順について説明する。
【００４０】
ハッチ扉（外側ハッチ扉３３）を開いた状態から閉じるとき、操作ハンドル４２８を掴んで開状態の扉本体４１を水平軸Ｏ１回りに回動させ、扉本体４１により小サイドボックス３の外側開口部３１を塞ぐ。このとき、ロック板４３の延出部４３５が第１溝部３７１の奥方に進入しており、扉本体４１の内側面４１２と小サイドボックス３の端面３５とが対向する。扉本体４１を小サイドボックス３側へ押し付けることで環状シール部材４４が圧縮され、扉本体４１の内側面４１２と小サイドボックス３の端面３５とがほぼ密着する。
【００４１】
次に、操作ハンドル４２８を回転させる。ここで、扉本体４１の厚さ方向視（図２において外側ハッチ扉３３の外側から左側を見て、操作ハンドル４２８を正面に見る場合）において操作ハンドル４２８（回転操作体４２）を時計回りに回転させると、回転操作体４２の回転にともなってロック板４３も回転する。そして、ロック板４３の延出部４３５が第２溝部３７２に進入し、図４等に示すようにガイド孔４３２の端部にピン４１５が当接することでロック板４３の回転が阻止される。ここで、ロック板４３が回転操作体４２とともに回転し、ガイド孔４３２の端部にピン４１５が当接するまでの操作ハンドル４２８の回転操作角度は、例えば４５°程度である。
【００４２】
さらに操作ハンドル４２８（回転操作体４２）を回すと、ロック板４３のネジ孔４３１に回転操作体４２のネジ軸４２４が螺合していることから当該ネジが締まり、ロック板４３と扉本体４１とが近接する。このとき、ロック板４３の延出部４３５が小サイドボックス３の第２溝部３７２（係合溝３７）と係合することで、小サイドボックス３の軸方向におけるロック板４３の動きが阻止される（図６参照）。その結果、ネジ軸４２４の軸力が扉本体４１を小サイドボックス３側に押し付ける力として作用し、扉本体４１の内側面４１２と小サイドボックス３の端面３５とが完全に密着することで、小サイドボックス３および扉本体４１の間が封止された状態となる。また、嵌挿軸部４２３と扉本体４１との間にはＯリング４２６が介装されている。これにより、小サイドボックス３の外側開口部３１が外側ハッチ扉３３によって密閉される。ここで、ロック板４３の回転が阻止された状態での操作ハンドル４２８の回転操作角度は、例えば４５°程度である。
【００４３】
次に、外側ハッチ扉３３を閉じた状態から開く場合、操作ハンドル４２８を回転させる。ここで、操作ハンドル４２８を、ネジ（ネジ軸４２４およびネジ孔４３１）が緩む方向（外側ハッチ扉３３を閉じるときの回転操作方向と反対方向）に回す。そうすると、ロック板４３が扉本体４１から少し離れる。その後、ロック板４３は、操作ハンドル（回転操作体４２）とともに回転し、図５において仮想線で表すように、扉本体４１の厚さ方向視において、延出部４３５が小サイドボックス３の第１溝部３７１と重なる位置にくる。次いで、操作ハンドル４２８を掴んで扉本体４１を水平軸Ｏ１回りに回動させて、外側ハッチ扉３３を開いた状態にする。
【００４４】
本実施形態によれば、操作ハンドルを回転させることでハッチ扉（外側ハッチ扉３３および内側ハッチ扉３２）の気密状態を切り換えることができる。したがって、ハッチ扉（外側ハッチ扉３３および内側ハッチ扉３２）の開閉操作を簡単に行うことができ、作業性に優れている。
【００４５】
ハッチ扉（外側ハッチ扉３３および内側ハッチ扉３２）は、小サイドボックス３に回動可能に支持された扉本体４１と、当該扉本体４１に対して回転可能に支持された回転操作体４２と、回転操作体４２に対してネジ機構により支持されたロック板４３と、を備える。また、ロック板４３は、扉本体４１に対して所定の回転角度だけ回転が許容されている。このような構成によれば、ハッチ扉（外側ハッチ扉３３および内側ハッチ扉３２）を閉じるとき、操作ハンドル４２８（回転操作体４２）の回転操作によって、当該回転操作の前半においてロック板４３が回転操作体４２とともに回転して小サイドボックス３の係合溝３７に係合し、当該回転操作の後半において上記ネジ機構の作用によって扉本体４１が小サイドボックス３に密着密閉する。したがって、上記のように独自の全体構成の協働によって、操作ハンドル４２８を所定角度回転操作するだけで、ハッチ扉（外側ハッチ扉３３および内側ハッチ扉３２）を確実に閉じることができる。
【００４６】
また、ハッチ扉（外側ハッチ扉３３および内側ハッチ扉３２）の開閉時における操作ハンドル４２８の回転操作角度は、上述のように、回転操作の前半が約４５°、回転操作の後半が約４５°で全体として９０°程度でよい。これにより、ハッチ扉（外側ハッチ扉３３および内側ハッチ扉３２）の開閉操作を迅速且つ簡単に行うことができる。
【００４７】
図１を参照すると理解されるように、内側ハッチ扉３２の操作ハンドル４２８の操作については、作業者が手袋を装着したうえで、本体ボックス１の作業用開口１１から手を延ばして行う必要がある。ここで、内側ハッチ扉３２の操作ハンドル４２８自体は視認するのが困難であるか、あるいは視認できない状態にある。本実施形態によれば、上記のように内側ハッチ扉３２の開閉時には、操作ハンドル４２８を約９０°回転させるだけで開状態および閉状態を切り換えることができる。したがって、操作ハンドル４２８が視認困難、あるいは視認できない状態においても、内側ハッチ扉３２の開閉操作を簡単に行うことができ、使い勝手がよい。
【００４８】
以上、本発明の実施形態を説明したが、本発明の範囲は上記した実施形態に限定されるものではなく、各請求項に記載した事項の範囲内でのあらゆる変更は、すべて本発明の範囲に包摂される。
【００４９】
上記実施形態においては、扉本体４１の内側面４１２に形成された環状溝４１３に環状シール部材４４が装着される場合について説明したが、これに限定されない。例えば小サイドボックス３の端面３５に環状溝を形成し、当該環状溝に環状シール部材４４を装着してもよい。また、環状シール部材４４については、Ｏリングに限定されない。
【００５０】
上記実施形態においては、予備ボックス（小サイドボックス３）が本体ボックスの側面部において連通する場合について説明したが、本発明はこれに限定されない。予備ボックスは本体ボックスのいずれの部位において連通していてもよく、例えば本体ボックスの背面部や底面部において予備ボックスが連通する構成としてもよい。
【符号の説明】
【００５１】
Ａ１      グローブボックス
Ｏ１      水平軸
１        本体ボックス
１０      窓ガラス
１１      作業用開口
１２      筒状体
１３      蓋
１４１    真空パイプ
１４２    ガス供給パイプ
１５１    パイプ
１５２    分岐管
１５３    給排気回路
１７      支柱
１８      載置台
１８１    キャスタ
２        サイドボックス
２０      内側開口部
２１      外側開口部
２２      内側ハッチ扉
２３      外側ハッチ扉
３        小サイドボックス（予備ボックス）
３０      内側開口部
３１      外側開口部
３２      内側ハッチ扉（ハッチ扉）
３３      外側ハッチ扉（ハッチ扉）
３５      端面
３７      係合溝
３７１    第１溝部
３７２    第２溝部
４１      扉本体
４１１    貫通孔
４１２    内側面
４１３    環状溝
４１４    ネジ穴
４１５    ピン
４２      回転操作体
４２０    軸本体
４２１    ハンドル支持軸
４２２    フランジ
４２３    嵌挿軸部
４２４    ネジ軸
４２５    Ｃリング
４２６    Ｏリング
４２８    操作ハンドル
４３      ロック板
４３０    円板部
４３１    ネジ孔
４３２    ガイド孔
４３５    延出部
４４      環状シール部材
４５      スラスト軸受
４６      抜け止めプレート
４７      取付ネジ
【図１】
2018024030.tif 000003
【図２】
2018024030.tif 000004
【図３】
2018024030.tif 000005
【図４】
2018024030.tif 000006
【図５】
2018024030.tif 000007
【図６】
2018024030.tif 000008